【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
埋め込み可能な基質と、
前記基質の少なくとも一部分に付与されたコーティングと、
を含み、前記コーティングはポリマーを有し、前記ポリマーは、
星型ポリマー、
側鎖がポリマー主鎖の全長の少なくとも１０％である櫛型ポリマー、又は、
側鎖がポリマー主鎖の全長の少なくとも１０％であるブラシ型ポリマーである物品。
【請求項２】
前記埋め込み可能な基質はステントである請求項１に記載の物品。
【請求項３】
前記ポリマーは生物学的に吸収可能なポリマー及び耐久性ポリマーのいずれかもしくはこれらの組み合わせを含む、請求項１に記載の物品。
【請求項４】
前記星型ポリマーはｎ−星型ポリマー（Ｄ，Ｌ−ラクチド）を含む、請求項１に記載の物品。
【請求項５】
前記星型ポリマーは、３本の腕を有するポリ（Ｄ，Ｌ−ラクチド）、４本の腕を有するポリ（Ｄ，Ｌ−ラクチド）、５本の腕を有するポリ（Ｄ，Ｌ−ラクチド）、または６本の腕を有するポリ（Ｄ，Ｌ−ラクチド）、のいずれかもしくはこれらの組み合わせを含む請求項１に記載の物品。
【請求項６】
前記星型ポリマーは、ポリマーＩまたはポリマーＩＩの構造を有するポリマーのいずれかもしくはこれらの組み合わせを含む、請求項１に記載の物品。
【化１】
2008517718.tif 000001
【請求項７】
前記ポリマーは、ポリ（Ｄ，Ｌ−乳酸）、ポリ（Ｄ−乳酸）、ポリ（Ｌ−乳酸）、（Ｌ−ラクチド／Ｄ，Ｌ−ラクチド）共重合体、ポリ（グリコライド）、（Ｄ，Ｌ−ラクチド／グリコライド）共重合体、ポリ（カプロラクトン）、（Ｄ，Ｌ−ラクチド／カプロラクトン）共重合体、（Ｌ−ラクチド／カプロラクトン）共重合体、（グリコライド／カプロラクトン）共重合体、ポリ（３−ヒドロキシブチレート）、ポリ（４−ヒドロキシブチレート）、ポリ（３−ヒドロキシバレレート）、（ヒドロキシブチレート／バレレート）共重合体、ポリ（ジオキサノン）、ポリ（トリメチレンカーボネート）、（Ｄ，Ｌ−ラクチド／トリメチレンカーボネート）共重合体、ポリ（ｎ−ブチルメタクリレート）又は（イソブチレン／ブロックスチレン）共重合体のいずれかもしくはこれらの組み合わせを含む、請求項１に記載の物品。
【請求項８】
前記星型ポリマーは、ｎ−星型ポリ（ｎ−ブチルメタクリレート）及びｎ−星型（イソブチレン／ブロックスチレン）共重合体からなる群から選択される耐久性星型ポリマーである、請求項１に記載の物品。
【請求項９】
前記星型ポリマーは、ホモポリマー、コポリマー、もしくは３元重合体を含む、請求項１に記載の物品。
【請求項１０】
前記ホモポリマー、コポリマー、もしくは３元重合体は、線状である請求項９に記載の物品。
【請求項１１】
前記星型ポリマーは、
開環（共）重合、
ラジカル（共）重合、
イオン（共）重合、
リビングカチオン（共）重合、
アニオン重合、もしくは
リビング重合技術、
による生成物であり、前記重合は１またはこれ以上の種類のモノマーを反応させる、請求項１に記載の物品。
【請求項１２】
前記リビング重合技術は、原子移動（共）重合、メタロセン触媒技術、Ｚｉｅｇｌｅｒ−Ｎａｔｔａ触媒技術、窒素酸化物媒介重合、またはイニファタ技術を含む、請求項１１に記載の物品。
【請求項１３】
クロマトグラフィーにより測定された前記星型ポリマーの数平均分子量と、浸透圧法により測定された前記星型ポリマーの数平均分子量との比が、約０．５から約１．０である、請求項１に記載の物品。
【請求項１４】
前記櫛型ポリマー又は前記ブラシ型ポリマーは１から１０００の側鎖を含む、請求項１に記載の物品。
【請求項１５】
前記櫛型ポリマー又は前記ブラシ型ポリマーは５から５００の側鎖を含む、請求項１に記載の物品。
【請求項１６】
前記側鎖は、ポリマー主鎖の全長の少なくとも５０％である、請求項１に記載の物品。
【請求項１７】
埋め込み可能な基質の少なくとも一部分にコーティングを付与することを含む、用具を製造する方法であって、前記コーティングはポリマーを有し、前記ポリマーは、
星型ポリマー、
側鎖がポリマー主鎖の全長の少なくとも１０％である櫛型ポリマー、又は、
側鎖がポリマー主鎖の全長の少なくとも１０％であるブラシ型ポリマーである用具を製造する方法。
【請求項１８】
前記埋め込み可能な基質はステントである、請求項１７に記載の方法。
【請求項１９】
前記ポリマーは、生物学的に吸収可能なポリマー及び耐久性ポリマーのいずれかもしくはこれらの組み合わせを含む、請求項１７に記載の方法。
【請求項２０】
前記星型ポリマーはｎ−星型ポリ（Ｄ，Ｌ−ラクチド）である、請求項１７に記載の方法。
【請求項２１】
前記星型ポリマーは、３本の腕を有するポリ（Ｄ，Ｌ−ラクチド）、４本の腕を有するポリ（Ｄ，Ｌ−ラクチド）、及び６本の腕を有するポリ（Ｄ，Ｌ−ラクチド）、からなる群から選択される、請求項１７に記載の方法。
【請求項２２】
前記星型ポリマーは、式（Ｉ）及び（ＩＩ）の構造を有するポリマーからなる群から選択される、請求項１７に記載の方法。
【化２】
2008517718.tif 000002
【請求項２３】
前記生物学的に吸収可能なポリマー及び前記耐久性ポリマーは、ポリ（Ｄ，Ｌ−乳酸）、ポリ（Ｄ−乳酸）、ポリ（Ｌ−乳酸）、（Ｌ−ラクチド／Ｄ，Ｌ−ラクチド）共重合体、ポリ（グリコライド）、（Ｄ，Ｌ−ラクチド／グリコライド）共重合体、ポリ（カプロラクトン）、（Ｌ−ラクチド／カプロラクトン）共重合体、（Ｄ，Ｌ−ラクチド／カプロラクトン）共重合体、（グリコライド／カプロラクトン）共重合体、ポリ（３−ヒドロキシブチレート）、ポリ（４−ヒドロキシブチレート）、ポリ（３−ヒドロキシバレレート）、（ヒドロキシブチレート／バレレート）共重合体、ポリ（ジオキサノン）、ポリ（トリメチレンカーボネート）、（Ｄ，Ｌ−ラクチド／トリメチレンカーボネート）共重合体、ポリ（ｎ−ブチルメタクリレート）又は（イソブチレン／ブロックスチレン）共重合体からなる群から選択される、請求項１９に記載の方法。
【請求項２４】
前記星型ポリマーは、ｎ−星型ポリ（ｎ−ブチルメタクリレート）及びｎ−星型（イソブチレン／ブロックスチレン）共重合体、からなる群から選択される耐久性星型ポリマーである、請求項１７に記載の方法。
【請求項２５】
前記星型ポリマーは、ホモポリマー、コポリマー、もしくは３元重合体を含む、請求項１７に記載の方法。
【請求項２６】
前記ホモポリマー、コポリマー、もしくは３元重合体は、線状である請求項２５に記載の方法。
【請求項２７】
少なくとも１種類のモノマーを、
開環（共）重合、
ラジカル（共）重合、
イオン（共）重合、
リビングカチオン（共）重合、
アニオン重合、もしくは
リビング重合技術、
によって重合することをさらに含む、請求項１７に記載の方法。
【請求項２８】
前記リビング重合技術は、原子移動（共）重合、メタロセン触媒技術、Ｚｉｅｇｌｅｒ−Ｎａｔｔａ触媒技術、窒素酸化物媒介重合、またはイニファタ技術を含む、請求項２７に記載の方法。
【請求項２９】
クロマトグラフィーにより測定された前記星型ポリマーの数平均分子量と、浸透圧法により測定された前記星型ポリマーの数平均分子量との比が、約０．５から約１．０である、請求項１７に記載の方法。
【請求項３０】
前記櫛型ポリマー又は前記ブラシ型ポリマーは１から１０００の側鎖を含む、請求項１７に記載の方法。
【請求項３１】
前記櫛型ポリマー又は前記ブラシ型ポリマーは５から５００の側鎖を含む、請求項１７に記載の方法。
【請求項３２】
前記側鎖は、ポリマー主鎖の全長の少なくとも５０％である、請求項１７に記載の方法。